(57)【要約】      （修正有）【課題】まくら構造を提供する。【解決手段】まくら構造は二層構造のまくらで、相対的に柔軟な上本体２と相対的に固めの本体１を有する。本体１中央は中央ユニット１１で、その両側にはサイドユニット１２を対応して設置する。中央ユニット１１には凸部１１２を設置し、頚椎を後ろに傾けるよう支えられるため、気管は通りが良くなり、いびきを回避できる。各サイドユニット１２はサイド陥没部１２１を有し、横向き寝時に耳が圧迫されず、しかもその形状は頭部を後ろに傾けるよう案内できる。各サイドユニット１２前縁には陥没した凹斜部１２３を設置し、これにより肩部を収容して圧迫による不快を回避できる。本発明は睡眠時に人体頭部が求めるあらゆるニーズに完全に応えることができる。【選択図】図２
2019042365.tif 000002
【特許請求の範囲】
【請求項１】
まくら構造であって、本体を有し、その中央は、中央ユニットで、
前記中央ユニット両側には、サイドユニットをそれぞれ対応して設置し、
前記中央ユニット中には、凸部を設置し、前記凸部後縁には、陥没部を設置し、
前記各サイドユニット中央には、サイド陥没部を有し、前記サイド陥没部の環状縁には、サイドフレーム体を有し、前記サイドフレーム体の形状により、人体が横向き寝時に頭部を強制的に後ろに傾けられ、
前記本体上方には、上本体をさらに設置し、前記上本体は相対的に柔軟な材料により製造し、前記本体は相対的に固めの材料により製造し、
前記上本体は、前記本体の形状に基づき設置し、上中央ユニットと両側の上サイドユニットを有し、
前記各上サイドユニット中には、上サイド陥没部と上サイドフレーム体を形成し、前記上サイド陥没部は、前記サイド陥没部上方に位置し、しかも前記上サイドフレーム体は、前記サイドフレーム体上方に位置する
ことを特徴とするまくら構造。
【請求項２】
前記凸部前縁には、傾斜部を隣接する、
前記各サイドユニット前縁には、陥没した凹斜部を設置する、
前記本体底部両側には、内側が薄く外側が厚いサポート体をそれぞれ対応して設置する
ことを特徴とする請求項１に記載のまくら構造。
【請求項３】
前記上中央ユニット中には、上凸部、上傾斜部、上陥没部を形成し、
前記各上サイドユニット前縁には、陥没した上凹斜部を設置する
ことを特徴とする請求項１に記載のまくら構造。
【発明の詳細な説明】
【技術分野】
【０００１】
本発明はまくら構造に関し、特に睡眠の質を向上させられるまくら構造に関する。
【背景技術】
【０００２】
多くの人が不眠の困難を抱えているが、不眠の原因のうちの一つに、不適当なまくらの使用がある。
生理的な自然の反応及び健康上の必要により、睡眠時に長時間一定の姿勢を保持するのは困難である。
そうでなければ、重さを受け止める部位は、長時間の圧迫を受けた後、不快及びだるい痛みを感じる。
そのため、睡眠時には、自然な生理的反応により、仰向け寝と横向き寝との間で、姿勢の交換回数は十数回にも上る。
また、人が仰向け寝、横向き寝をする時、首とベッド面との間の間隔距離にも差異が存在する。
人が仰向け寝する時には、首の後ろ側とベッド面との間隔距離は比較的短いため、まくらの高さはやや低くする必要がある。
けれども、横向き寝する時には、肩があるために、首及び頭部とベッド面との間隔距離は拡大するが、これに伴いまくらの高さを拡大する必要があり、そうでなければ、頭部と頚部を支えることはできない。
【０００３】
しかし、市販のまくらはすべて、平面式構造であるため、仰向け寝と横向き寝の、それぞれ異なるサポートニーズに同時に応えることはできない。
これにより、起床後に血行不良を感じる人が多く、多くの問題が生じている。
それらには、寝違え、肩と頚部の捻挫、或いはだるい痛み、肩の圧迫疼痛、圧迫性麻痺などがあり、深刻な場合には五十肩に至ることもある。
【発明の概要】
【発明が解決しようとする課題】
【０００４】
前記先行技術による既存のまくらは、上記の諸問題を解決できず、人体の睡眠ニーズに真に応えることができないという欠点がある。
【課題を解決するための手段】
【０００５】
本発明は、人体の睡眠ニーズに真に応えることができないという欠点を改善できるまくら構造に関する。
【０００６】
本発明によるまくら構造は、人体の仰向け寝及び横向き寝の際の高さに対する違ったニーズを同時に満たすことができ、特にまくら中には違った高さを有し、違った寝姿のニーズに応えることができる。
【０００７】
本発明によるまくら構造はさらに、人体横向き寝のニーズに応えられる２個のサイドユニットを有する。
該サイドユニットは、特殊形状を有し、横向き寝時には頭部を十五度角に近く後ろに傾けられるため、呼吸をスムーズにし、いびきを止められ、睡眠の質を高めることができる。
さらに、該サイドユニットの高さは、人体横向き寝時の最良の高さであるため、横向き寝時に腕或いは肩が圧迫されず、首の不快、手の痺れ或いは血行不良等の発生を回避できる。
【０００８】
本発明によるまくら構造はさらに、人体が仰向け寝時に良好なサポート作用を提供できる他、横向き寝時には頭部を十五度角に近く後ろに傾けられるため、呼吸をスムーズにし、いびきを止められ、睡眠の質を高めることができる。
【０００９】
本発明によるまくら構造はさらに、各サイドユニット前縁に凹斜部を設置し、該凹斜部は横向き寝時に肩を収容でき、横向き寝時の肩の快適性を高めることができる。
【００１０】
本発明によるまくら構造のまくらは、二層構造を有し、相対的に柔軟な上本体は極めて快適な触感を提供でき、相対的に固めの本体は、良好なサポート性を提供できるため、睡眠の質を効果的に向上させられる。
【００１１】
本発明によるまくら構造のまくらは、本体を有し、該本体頂面にはさらに、上本体を一体成形する。
該上本体は、相対的に柔軟な無毒軟性材料により製造し、該下方に位置する本体は、相対的に硬い材料により製造する。
【００１２】
好ましくは、該本体中央は、中央ユニットで、その両側には、サイドユニットをそれぞれ対応して設置する。
【００１３】
好ましくは、該中央ユニットには、凸部を設置し、該凸部前縁には、傾斜部を隣接し、該凸部後縁には、陥没部を設置し、該凸部は、頚椎を後ろに傾けるよう支えられるため、気管は通りが良くなり、いびきを回避できる。
該傾斜部は、頚部から連接する背面部の人体構造を支えることができ、該陥没部は人体が仰向け寝時に後頭部を包み込み定位する作用を有する。
【００１４】
好ましくは、各サイドユニット中央には、サイド陥没部を有し、該サイド陥没部は陥没状を呈するため、横向き寝時に、耳への圧迫を回避することができる。
また、該サイド陥没部の環状縁には、サイドフレーム体を有し、該サイドフレーム体は、特定形状を有する。
該サイドフレーム体は、頭部横側を支え、しかもその形状は、頭部を後ろに傾けるよう案内する適当な角度を有する。
また、該各サイドユニット前縁には、陥没した凹斜部を設置し、これにより肩部を収容して圧迫による不快を回避できる。
【００１５】
好ましくは、該上本体は、該本体の形状に基づき設置されるため、該本体の構造に相対して、上中央ユニットと両側の上サイドユニットを形成する。
しかも、該上中央ユニット中には、上凸部、上傾斜部と上陥没部を形成する。
また、該各上サイドユニット中には、上サイド陥没部、上サイドフレーム体を形成する。
また、該各上サイドユニット前縁には、陥没した上凹斜部を設置する。
【図面の簡単な説明】
【００１６】
【図１】本発明の立体外観図である。
【図２】本発明の立体分解模式図である。
【図３】本発明の局部断面模式図である。
【図４】本発明実施時の仰向け寝の模式図である。
【図５】本発明実施時の仰向け寝の別種の模式図である。
【図６】本発明実施時の横向き寝の模式図である。
【図７】本発明実施時の横向き寝の別種の模式図である。
【図８】本発明の本体底部両側に対応して設置するサポート体の模式図である。
【発明を実施するための形態】
【００１７】
（一実施形態）
図１、図２、図３に示す通り、本発明によるまくらは、本体１を有する。
本体１頂面にはさらに、上本体２を一体成形する。
上本体２は、相対的に柔軟な無毒軟性材料により製造する。
下方に位置する本体１は、相対的に硬い材料により製造する。
【００１８】
本体１中央は、中央ユニット１１で、その両側には、サイドユニット１２をそれぞれ対応して設置する。
中央ユニット１中には、凸部１１２を設置し、凸部１１２前縁には、傾斜部１１１を隣接し、凸部１１２後縁には、陥没部１１３を設置する。
【００１９】
各サイドユニット１２中央には、サイド陥没部１２１を有する。
サイド陥没部１２１の環状縁には、サイドフレーム体１２２を有し、サイドフレーム体１２２は、特定形状を有する。
各サイドユニット１２前縁には、陥没した凹斜部１２３を設置する。
【００２０】
上本体２は、本体１の形状に基づき設置するため、本体１の構造に相対して、上中央ユニット２１と両側の上サイドユニット２２を形成する。
しかも、上中央ユニット２１中には、上凸部２１２、上傾斜部２１１と上陥没部２１３を形成する。
各上サイドユニット２２中には、上サイド陥没部２２１、上サイドフレーム体２２２を形成する。
各上サイドユニット２２前縁には、陥没した上凹斜部２２３を設置する。
【００２１】
図２、図４、図５に示す通り、本発明実施時には、人体３が仰向け寝すると、頭部３１は、本体１の中央ユニット１１位置に入る。
凸部１１２は、頚椎を仰向けに支えられるため、気管は通りが良くなり、いびきを回避できる。
傾斜部１１１は、頚部から連接する背面部の人体３構造を支えることができる。
陥没部１１３は、人体３が仰向け寝時の頭部３１後頭部を包み込み定位する作用を提供できる。
【００２２】
図２、図６、図７に示す通り、人体の横向き寝時には、人体３の頭部３１は、身体を横向きにすることで、サイドユニット１２位置へと移動する。
サイド陥没部１２１は、陥没状を呈するため、サイドフレーム体１２２に対応して、頭部３１側辺を支え、及び柔軟な上サイド陥没部２２１材料に接触する。
よって、横向き寝時に、耳への圧迫を回避することができる。
また、サイド陥没部１２１環状縁に設置されるサイドフレーム体１２２は、特定の形状を有するため、頭部３１を適当な角度に仰向けに支えるよう案内でき、これにより気管は通りが良くなり、いびきを回避できる。
各サイドユニット１２前縁には、陥没した凹斜部１２３を設置するため、人体３の肩部はここに収容され、こうして圧迫と不快を回避できる。
【００２３】
図８に示す通り、本発明は本体底部両側に、それぞれ内側が薄く外側が厚いサポート体１９を対応して設置する。
その目的は、本体外側端を効果的にサポートすることで、人体頭部の重量を支えても、外側へと変形する状況は生じず、サポート性を維持でき、横向き寝時に正常に呼吸できる角度に頚椎を保持することができる。
【００２４】
上記を総合すると、本発明のまくら構造は、人体睡眠時の仰向け寝及び横向き寝のニーズに同一構造で同時に応えることができ、しかも仰向け寝であろうと、横向き寝であろうと、頭部をいくらか後ろに傾けることで、気管の通りを良くし、いびきを回避できる。
こうして、本発明は睡眠の質を明らかに向上させる効果を達成することができる。
【００２５】
前述した本発明の実施形態は本発明を限定するものではなく、よって、本発明により保護される範囲は後述される特許請求の範囲を基準とする。
【符号の説明】
【００２６】
１      本体
１１    中央ユニット
１１１  傾斜部
１１２  凸部
１１３  陥没部
１２    サイドユニット
１２１  サイド陥没部
１２２  サイドフレーム体
１２３  凹斜部
１９    サポート体
２      上本体
２１    上中央ユニット
２１１  上傾斜部
２１２  上凸部
２１３  上陥没部
２２    上サイドユニット
２２１  上サイド陥没部
２２２  上サイドフレーム体、
２２３  上凹斜部
３      人体
３１    頭部
【図１】
2019042365.tif 000003
【図２】
2019042365.tif 000004
【図３】
2019042365.tif 000005
【図４】
2019042365.tif 000006
【図５】
2019042365.tif 000007
【図６】
2019042365.tif 000008
【図７】
2019042365.tif 000009
【図８】
2019042365.tif 000010
【手続補正書】
【提出日】平成31年1月9日(2019.1.9)
【手続補正１】
【補正対象書類名】特許請求の範囲
【補正対象項目名】全文
【補正方法】変更
【補正の内容】
【特許請求の範囲】
【請求項１】
まくら構造であって、
本体（１）を有し、その中央は、中央ユニット（１１）で、
前記中央ユニット（１１）両側には、サイドユニット（１２、１２）をそれぞれ対応して設置し、
前記中央ユニット（１１）中には、凸部（１１２）を設置し、前記凸部（１１２）後縁には、陥没部（１１３）を設置し、
前記各サイドユニット（１２、１２）中央には、サイド陥没部（１２１、１２１）を有し、
前記サイド陥没部（１２１、１２１）の環状縁には環状に立設された環状の側壁からなるサイドフレーム体（１２２、１２２）を有し、
前記サイドフレーム体（１２２、１２２）の形状により、人体が横向き寝時に頭部を強制的に後ろに傾けられ、
前記本体（１）上方には、上本体（２）をさらに設置し、
前記上本体（２）は相対的に柔軟な材料により製造し、前記本体（１）は相対的に固めの材料により製造し、
前記上本体（２）は、前記本体（１）の形状に基づき設置し、上中央ユニット（２１）と両側の上サイドユニット（２２、２２）を有し、
前記各上サイドユニット（２２、２２）中には、上サイド陥没部（２２１）と、前記上サイド陥没部（２２１）の環状縁において環状に立設された環状の側壁からなる上サイドフレーム体（２２２、２２２）を形成し、
前記上サイド陥没部（２２１、２２１）は、前記サイド陥没部（１２１、１２１）上方に位置し、
しかも前記上サイドフレーム体（２２２、２２２）は、前記サイドフレーム体（１２２、１２２）上方に位置し、
さらに、前記凸部（１１２）前縁には、傾斜部（１１１）を隣接し、
前記各サイドユニット（１２、１２）前縁には、陥没した凹斜部（１２３、１２３）を設置し、
前記本体（１）底部両側には、内側が薄く外側が厚いサポート体（１９）をそれぞれ対応して設置し、かつ、各前記上サイドフレーム体（２２２、２２２）において内側の前記側壁の高さは外側の前記側壁の高さよりも低い
ことを特徴とするまくら構造。
【請求項２】
請求項１に記載のまくら構造において、
前記上中央ユニット（２１）中には、前記凸部（１１２）の上に上凸部（２１２）、前記傾斜部（１１１）の上に上傾斜部（２１１）、前記陥没部（１１３）の上に上陥没部（２１３）を形成し、
前記各上サイドユニット（２２、２２）前縁には、陥没した上凹斜部（２２３）を設置する
ことを特徴とするまくら構造。